(57)【要約】【課題】動作空間を包囲する特別な磁石コイルシステムを用いて、磁性体を、安定に且つ非接触ですなわち磁性体の方向調整および磁性体への力作用のもとで、ナビゲーションし固定することを可能にする。【解決手段】装置（２２）により動作空間（Ａ）内で磁性体（１０）が非接触移動させられ固定される。このために、装置は、３つの磁場成分および５つの磁場勾配を発生させるための１４個の個々に駆動可能な個別コイルからなる磁石コイルシステム（２）と、磁性体（１０）の実際位置の検出手段（２４x，２４y，２４z）と、磁性体（１０）の目標位置の設定手段（２５〜２７）とを有する。【選択図】図１
2005081147.tif 000002
【特許請求の範囲】
【請求項１】
ｘ，ｙ，ｚ直交座標系に配置された面（Ｆ４ａ，Ｆ４ｂ；Ｆ３ａ，Ｆ３ｂ；Ｆ５ａ，Ｆ５ｂ；Ｆ１４ａ，Ｆ１４ｂ；Ｆ１３ａ，Ｆ１３ｂ；Ｆ１５ａ，Ｆ１５ｂ）によって包囲されている３次元動作空間（Ａ）内の磁性体（１０）の非接触移動および／または固定装置（２２）において、
ａ）３つの磁場成分Ｂx，Ｂy，Ｂzと、対角線（Ｄ）に関して対称な勾配マトリックス
【数１】
2005081147.tif 000005
からの５つの磁場勾配とを発生させるために構成されている個々に駆動可能な１４個の個別コイル（３ａ，３ｂ；４ａ，４ｂ；５ａ，５ｂ；６ａ〜６ｄ；７ａ〜７ｄ；１３ａ，１３ａ’；１３ｂ，１３ｂ’；１５ａ，１５ａ’；１５ｂ，１５ｂ’；１８ａ〜１８ｄ）を有し、個別コイル（４ａ，４ｂ；３ａ，３ｂ；５ａ，５ｂ）により、勾配マトリックスにおける３つの対角要素のうち２つの対角要素と、勾配マトリックスにおける対角線（Ｄ）に対して対称な３つの勾配要素対から１つずつの非対角要素とを発生させ、動作空間（Ａ）を包囲する磁石コイルシステム（２，２０）、
ｂ）磁性体（１０）の実際位置の検出手段、
ｃ）磁性体（１０）の方位、目標位置および移動方向の設定装置と、磁性体（１０）の目標位置と実際位置との偏差を処理して個別コイル（３ａ，３ｂ；４ａ，４ｂ；５ａ，５ｂ；６ａ〜６ｄ；７ａ〜７ｄ；１３ａ，１３ａ’；１３ｂ，１３ｂ’；１５ａ，１５ａ’；１５ｂ，１５ｂ’；１８ａ〜１８ｄ）のコイル電流（Ｉ1〜Ｉ14）を設定するためのコイル電流設定手段とを有する磁性体（１０）の目標位置の設定手段、
を含むことを特徴とする磁石コイルシステムを用いた動作空間内での磁性体の非接触移動および／または固定装置。
【請求項２】
磁性体（１０）の実際位置の検出手段は動作空間（Ａ）の内部に配置されていることを特徴とする請求項１記載の装置。
【請求項３】
磁性体（１０）の実際位置の検出手段は、各座標（ｘ，ｙ，ｚ）に付設されたそれぞれ少なくとも１つの位置測定器（２４x，２４y，２４z）であることを特徴とする請求項１又は２記載の装置。
【請求項４】
磁性体（１０）の方位、目標位置および移動方向の設定装置（２７）はジョイスティックまたは６Ｄマウスであることを特徴とする請求項１乃至３の１つに記載の装置。
【請求項５】
個別コイルのコイル電流（Ｉ1〜Ｉ14）を設定するためのコイル電流設定手段は、磁性体（１０）の実際位置の検出手段に接続された調節装置（２５）とこの調節装置（２５）の後に接続された変換装置（２６）とが付設されているコンピュータ（９）を有することを特徴とする請求項１乃至４の１つに記載の装置。
【請求項６】
変換装置（２６）の後に、個別コイル（３ａ，３ｂ；４ａ，４ｂ；５ａ，５ｂ；６ａ〜６ｄ；７ａ〜７ｄ；１３ａ，１３ａ’；１３ｂ，１３ｂ’；１５ａ，１５ａ’；１５ｂ，１５ｂ’；１８ａ〜１８ｄ）の独立の電流を発生させるために、１４個の個別の電源（ＰＡ１〜ＰＡ１４）が配置されていることを特徴とする請求項５記載の装置。
【請求項７】
磁石コイルシステム（２，２０）における個々に駆動可能な１４個の個別コイル（３ａ，３ｂ；４ａ，４ｂ；５ａ，５ｂ；６ａ〜６ｄ；７ａ〜７ｄ；１３ａ，１３ａ’；１３ｂ，１３ｂ’；１５ａ，１５ａ’；１５ｂ，１５ｂ’；１８ａ〜１８ｄ）は、対をなして対向位置する面（Ｆ４ａ，Ｆ４ｂ；Ｆ３ａ，Ｆ３ｂ；Ｆ５ａ，Ｆ５ｂ；Ｆ１４ａ，Ｆ１４ｂ；Ｆ１３ａ，Ｆ１３ｂ；Ｆ１５ａ，Ｆ１５ｂ）と、ｚ方向に延びている少なくとも１つの管状外殻面（Ｆ６；Ｆ１８）とに配置されていることを特徴とする請求項１乃至６の１つに記載の装置。
【請求項８】
磁石コイルシステム（２）のうち、
少なくとも６個の個別コイル（４ａ，４ｂ；３ａ，３ｂ；５ａ，５ｂ）が、動作空間（Ａ）の対をなして対向位置する端面もしくは側面（Ｆ４ａ，Ｆ４ｂ；Ｆ３ａ，Ｆ３ｂ；Ｆ５ａ，Ｆ５ｂ；Ｆ１４ａ，Ｆ１４ｂ；Ｆ１３ａ，Ｆ１３ｂ；Ｆ１５ａ，Ｆ１５ｂ）にあり、３つの磁場成分Ｂx，Ｂy，Ｂzおよび勾配マトリックスの２つの対角要素を発生させるために用いられ、
少なくとも４個の個別コイル（６ａ〜６ｄ；７ａ〜７ｄ；１８ａ〜１８ｄ）が、動作空間（Ａ）を包囲する少なくとも１つの管状外殻面（Ｆ６；Ｆ１８）に周方向に見て分割配置され、勾配マトリックスの少なくとも１つの非対角要素を発生させるために用いられることを特徴とする請求項７記載の装置。
【請求項９】
磁石コイルシステム（２）のうち、
６個の個別コイル（４ａ，４ｂ；３ａ，３ｂ；５ａ，５ｂ）が、３つのコイル対（４，３，５）として、動作空間（Ａ）の対をなして対向位置する端面もしくは側面（Ｆ４ａ，Ｆ４ｂもしくはＦ３ａ，Ｆ３ｂ；Ｆ５ａ，Ｆ５ｂ）にあり、
８個の個別コイル（６ａ〜６ｄ；７ａ〜７ｄ；１８ａ〜１８ｄ）が、ｚ方向に見て相前後して少なくとも１つの管状外殻面上に存在する２つのコイル装置（６，７）を形成し、コイル装置のそれぞれ４個の個別コイル（６ａ〜６ｄもしくは７ａ〜７ｄ）が、外殻面上に周方向に見て分割配置され、勾配マトリックスにおいて対角線（Ｄ）の一方の側にある３つの非対角要素を発生させるために用いられることを特徴とする請求項７または８記載の装置。
【請求項１０】
磁石コイルシステム（２０）のうち、
個別コイル（１４ａ，１４ｂ）のコイル対（１４）が動作空間（Ａ）の端面（Ｆ１４ａ，Ｆ１４ｂ）にあり、磁場成分（Ｂz）と勾配マトリックスの対角要素ｄＢz／ｄｚとを発生させるために用いられ、
それぞれｚ軸方向に見て相前後して配置された２個の個別コイル（１３ａ，１３ａ’；１３ｂ，１３ｂ’；１５ａ，１５ａ’；１５ｂ，１５ｂ’）からなるそれぞれ１つのコイル装置（１６もしくは１７）が、対をなして対向位置する側面（Ｆ１３ａ，Ｆ１３ｂ；Ｆ１５ａ，Ｆ１５ｂ）にあり、磁場成分ＢxもしくはＢyを発生させるために用いられ、
周方向に見て分割配置された４個の個別コイル（１８ａ〜１８ｄ）からなるコイル装置（１８）が少なくとも１つの管状外殻面（Ｆ１８）にあり、
側面（Ｆ１３ａ，Ｆ１３ｂ；Ｆ１５ａ，Ｆ１５ｂ）および外殻面（Ｆ１８）におけるコイル装置（１６，１７，１８）は、他の１つの対角要素と、勾配マトリックスにおいて対角線（Ｄ）の一方の側にある３つの非対角要素とを発生させるために用いられることを特徴とする請求項７又は８記載の装置。
【請求項１１】
磁石コイルシステム（２，２０）の少なくとも１つの外殻面（Ｆ６，Ｆ１８）が、対をなして対向位置する６つの面（Ｆ４ａ，Ｆ４ｂ；Ｆ３ａ，Ｆ３ｂ；Ｆ５ａ，Ｆ５ｂ；Ｆ１４ａ，Ｆ１４ｂ；Ｆ１３ａ，Ｆ１３ｂ；Ｆ１５ａ，Ｆ１５ｂ）によって囲われた内部空間内にあることを特徴とする請求項７乃至１０の１つに記載の装置。
【請求項１２】
磁石コイルシステム（２，２０）において外殻面（Ｆ６，Ｆ１８）にある磁場勾配コイル（６ａ〜６ｄ；７ａ〜７ｄ；１８ａ〜１８ｄ）は鞍形に形成されていることを特徴とする請求項７乃至１１の１つに記載の装置。
【請求項１３】
磁石コイルシステム（２，２０）の各コイル装置の磁場勾配コイルの端面側湾曲部分が周方向に見て並んでいるかまたは部分的に重なり合っていることを特徴とする請求項１２記載の装置。
【請求項１４】
磁石コイルシステム（２，２０）のうち少なくとも幾つかの磁場成分コイル（３ａ，３ｂ；４ａ，４ｂ；５ａ，５ｂ）は平らな矩形コイルまたは円形コイルとして形成されていることを特徴とする請求項１乃至１３の１つに記載の装置。
【請求項１５】
磁石コイルシステム（２，２０）のうちコイル対および／またはコイル装置はそれぞれ同じ形状を有する個別コイルからなることを特徴とする請求項１乃至１４の１つに記載の装置。
【請求項１６】
磁石コイルシステム（２，２０）において磁場成分発生のための個別コイルからなるコイル対は互いに直角方向に配置されていることを特徴とする請求項１乃至１５の１つに記載の装置。
【請求項１７】
磁石コイルシステム（２，２０）には、磁場増強および／または磁場遮蔽のために磁石コイルシステムの外側に軟磁性材料からなる部材が付設されていることを特徴とする請求項１乃至１６の１つに記載の装置。
【発明の詳細な説明】
【技術分野】
【０００１】
本発明は、ｘ，ｙ，ｚ直交座標系に配置された面によって包囲されている３次元動作空間を包囲する磁石コイルシステムを用いた動作空間内の磁性体の非接触移動および／または固定装置に関する。
【背景技術】
【０００２】
医療においては内視鏡やカテーテルが使用される。これらは、切開口または身体開口を介して挿入されて長手方向に外側から移動させることができ、それゆえ１次元でのみナビゲーション可能である。光導体により光学的な視診が可能であり、内視鏡先端つまり注視方向は制御ワイヤによって揺動可能である。このような装置は特に生体検査用に構成されている。しかしながら、この場合に使用されるプローブは特に分岐個所ではナビゲーションを制限されるので、外側からの非接触の力作用は適用範囲の拡大をもたらすことは必然である。
【０００３】
ｘ，ｙ，ｚ直交座標系において数学的に記述できる位置を有する立方体の面に配置された６個のとりわけ超伝導の個別コイルを含む非接触磁気式プローブ制御のための磁石コイルシステムは公知である（非特許文献１および特許文献１参照）。これらのコイルにより、磁性材料を有するカテーテルまたは治療目的のための磁性移植体を被検体内、例えば人体内において案内し移動させるための可変の磁場方向および磁場勾配を発生させることができる。しかしながら、６個の個別コイルからなる磁石コイルシステムによっては、磁性体の無制限のナビゲーション自由度を達成することができない。
【０００４】
３つのコイルを有する磁石コイルシステムも公知である（特許文献２参照）。さらに、患者の周りに回転可能に配置された幾つかの永久磁石からなり、それらの永久磁石の磁場が磁気絞り装置によって影響を受け、これらの永久磁石が磁性プローブの前進のための磁気波を発生することができる装置も公知である（特許文献３参照）。
【０００５】
更に、特にＸ線制御のもとで磁性カテーテルを制御するための回転可能な永久磁石を有する磁石コイルシステムも公知である。
【０００６】
この従来技術の場合には、フィードバックによる位置安定化方法に関して言及していない。これは、磁性プローブ体が磁場方向および勾配によって予め与えられいつも被検体内の内面に当接するという前提から出発している。
【０００７】
コンピュータ制御のもとで正確に定められた電流パルスによって磁性プローブを一歩一歩移動させる付加的なパルスコイルを用いた方法も公知である（特許文献４参照）。
【０００８】
消化管の視診に用いられる所謂ビデオカプセルも公知である（例えば、非特許文献２参照）。ビデオカプセルの前進は自然の腸運動によって行なわれる。すなわち前進および注視方向は全くの偶然である。
【０００９】
棒磁石とビデオ装置およびその他の非侵襲装置とを備えたビデオカプセルも公知である（特許文献５参照）。棒磁石には外部の磁石コイルシステムからナビゲーションのための力が与えられる。６Ｄマウスによる外部制御を有する浮遊する所謂ヘリコプタモード、マウスを介する力の応答信号並びにトランスポンダを通した位置応答信号が言及されている。磁石コイルシステムの実現および個別コイルの作動のための詳細は特許文献５からは明らかでない。
【００１０】
上述の全てのシステムは、磁性体を磁場により浮遊させて予め定められた位置に保持することを可能にするものではない。その理由は、アーンシャウ（Ｅａｒｎｓｈａｗ）の理論（非特許文献３参照）に基づいて、このような構成のそれぞれが少なくとも１つの空間方向において不安定であることにある。すなわち、磁性体は局所的な磁場勾配によって予め定められて常に動作空間内の内面によりかかっているか、もしくは磁性体はワイヤ案内されるカテーテルを所望の方向に曲げる。
【非特許文献１】“ＩＥＥＥ  Ｔｒａｎｓａｃｔｉｏｎｓ  ｏｎ  Ｍａｇｎｅｔｉｃｓ”，Ｖｏｌ．３２，Ｎｏ．２，１９９６年３月、第３２０〜３２８頁
【非特許文献２】“Ｇａｓｔｒｏｉｎｔｅｓｔｉｎａｌ  Ｅｎｄｏｓｃｏｐｙ”，Ｖｏｌ．５４，Ｎｏ．１，第７９〜８３頁
【非特許文献３】“Ｔｒａｎｓａｃｔｉｏｎｓ  ｏｆ  ｔｈｅ  Ｃａｍｂｒｉｄｇｅ  Ｐｈｉｌｏｓｏｐｈｉｃａｌ  Ｓｏｃｉｅｔｙ”，Ｖｏｌ．７，１８４２年、第９７〜１２０頁
【特許文献１】米国特許第５１２５８８８号明細書
【特許文献２】米国特許第６２４１６７１号明細書
【特許文献３】米国特許第６５２９７６１号明細書
【特許文献４】国際公開第９６／０３７９５号パンフレット
【特許文献５】独国特許第１０１４２２５３号明細書
【発明の開示】
【発明が解決しようとする課題】
【００１１】
本発明の課題は、動作空間を包囲する特別な磁石コイルシステムを用いて、例えば上記特許文献５による棒磁石の如き（強）磁性体を、安定に且つ非接触ですなわち磁性体の方向調整および磁性体への力作用のもとで、ナビゲーションし固定することができる装置を提供することにある。その場合に、磁性体の方向調整と、磁性体への力の大きさおよび方向とを、機械結合なしに磁気的に外側から与え得るようにしようとするものである。
【課題を解決するための手段】
【００１２】
この課題の解決のために、本発明によれば、請求項１に記載された措置が用いられる。すなわち、本装置は、ｘ，ｙ，ｚ直交座標系に配置された面によって包囲されている３次元動作空間内の磁性体の非接触移動および／または固定に用いることができる。その場合に本装置は次の部分を含んでいるべきである。
ａ）３つの磁場成分Ｂx，Ｂy，Ｂzと、対角線Ｄに関して対称な勾配マトリックス
【数２】
2005081147.tif 000003
からの５つの磁場勾配とを発生するように構成されている個々に駆動可能な１４個の個別コイルを有し、これらの個別コイルにより、勾配マトリックスにおける３つの対角要素のうち２つの対角要素と、勾配マトリックスにおける対角線Ｄに対して対称な３つの勾配要素対から１つずつの非対角要素とを発生させ、動作空間を包囲する磁石コイルシステム、
ｂ）動作ボリューム内の磁性体の実際位置の検出手段、
ｃ）磁性体の方位、目標位置および移動方向の設定装置と、磁性体の目標位置と実際位置との偏差を処理して個別コイルのコイル電流を設定するためのコイル電流設定手段とを有する磁性体の目標位置の設定手段。
【００１３】
動作空間を籠のように包囲し且つｚ方向におけるアクセスを可能にする使用されるべき磁石コイルシステムにおいては、マックスウェルの方程式によって課された条件ｒｏｔＨ＝０およびｄｉｖＢ＝０（但し、下線を付された量はそれぞれベクトルを表わす。）によって、磁場勾配が常に対をなして発生させられることが前提となっている。可能な３つの磁場成分Ｂx，Ｂy，Ｂzから２つの磁場成分が発生させられ、可能な９つの磁場勾配ｄＢx／ｄｘ，ｄＢx／ｄｙ，ｄＢx／ｄｚ，ｄＢy／ｄｘ，ｄＢy／ｄｙ，ｄＢy／ｄｚ，ｄＢz／ｄｘ，ｄＢz／ｄｙ，ｄＢz／ｄｚから５つの独立した勾配のみとが発生させられることが分かった。１４個の個別コイルには磁気自由度に応じた８つの異なる電流パターンを同じ大きさの電流で印加することができる。これらの電流パターンはそれぞれ主として１つの磁場成分または１つの磁場勾配を発生する。この場合に、重ね合わせによって、マックスウェルの方程式に基づいて許容される磁場成分および磁場勾配の各組合せを発生させることができる。
【００１４】
このようにして、例えば磁気要素に結合されたプローブ（例えば、カテーテル、内視鏡あるいは特許文献５によるビデオカプセル）である磁性体に対する任意の予め与え得る非接触の方向調整（＝固定を含めたナビゲーション）および磁気力が、動作空間内の磁場により可能になる。
【００１５】
本発明によるシステムにより、３つの空間方向における磁性体の位置調節と、既述の磁石コイル装置によって発生させられるような磁場構成への複雑な要求との協働を保証することができる。磁性体の移動または回転の都度、１４個の全個別コイルにおける電流が変わる。個別コイルのコイル電流の設定は、目標位置と実際位置との偏差が減少させられるように、とりわけ最小化されるように行なわれる。これに関する設定および処理手段が相応に設計されている。
【００１６】
更に、磁性体の方位、目標位置および移動方向の設定装置への力応答信号を備えた構成並びに磁性体を移動させる速度の可能な制限が好ましい。このようにして、被検査者内において上記特許文献５による強磁性または永久磁石の形の磁性体を装備したビデオカプセルを、動作空間内で特に医療診断にとって願わしく自由に安定に浮上させることが、能動的な位置調節によって実現できる。
【００１７】
本発明による装置の好ましい構成は従属請求項により与えられる。
【００１８】
個々に駆動可能な１４個の個別コイルは、対をなして対向位置する面とｚ方向に延びている少なくとも１つの管状外殻面とに配置するとよい。その場合に管状外殻面を除いて面を直方体または立方体に広げるとよい。しかしながら、面が必ずしも平らに形成されていることが必要ではない。これらの面にある個別コイルは特にｚ方向における動作空間への良好なアクセスを可能にする。
【００１９】
好ましくは、少なくとも６個の個別コイルが、動作空間における対をなして対向位置する端面もしくは側面にあり、３つの磁場成分Ｂx，Ｂy，Ｂzおよび勾配マトリックスの２つの対角要素を発生させるために用いられるとよい。同時に、少なくとも４個の個別コイルが、動作空間を包囲する少なくとも１つの管状外殻面に周方向に見て分割配置され、勾配マトリックスの少なくとも１つの非対角要素を発生させるために用いられるとよい。残りの個別コイルと共同して必要な３つの非対角要素が形成される。
【００２０】
コイルシステムの特に有利な実施態様によれば、
６個の個別コイルが、３つのコイル対として、動作空間の対をなして対向位置する端面もしくは側面にあり、
８個の個別コイルが、ｚ方向に見て相前後して少なくとも１つの管状外殻面上にある２つのコイル装置を形成し、両コイル装置のそれぞれ４個の個別コイルが、外殻面上に周方向に見て分割配置され、勾配マトリックスにおいて対角線の一方の側にある３つの非対角要素を発生させるために用いられる。
【００２１】
これらのコイルシステムは、ｚ方向における動作空間への良好なアクセスを有する明快な構造によって傑出している。
【００２２】
その代わりに、磁石コイルシステムにおいて、
動作空間の端面には個別コイルのコイル対があり、磁場成分Ｂzと勾配マトリックスの対角要素ｄＢz／ｄｚとを発生させるために用いられ、
対をなして対向位置する側面には、それぞれｚ軸方向に見て相前後して配置された２個の個別コイルからなるそれぞれ１つのコイル装置があり、磁場成分ＢxもしくはＢyを発生させるために用いられ、
少なくとも１つの管状外殻面には、周方向に見て分割配置された４個の個別コイルからなるコイル装置があり、
側面および外殻面におけるコイル装置は、勾配マトリックスの他の１つの対角要素と、勾配マトリックスにおいて対角線の一方の側にある非対角要素を発生させるために用いられる。
【００２３】
前述の実施態様において、（仮想）外殻面上にある磁場勾配コイルを鞍形に形成すると好ましい。その場合に、外殻面上において周方向に延びている端面側湾曲部が周方向に見て並んでいるか（すなわち、９０°よりも大きい湾曲角を取るか）または部分的に重なり合っていてもよい。このような個別コイルは容易に製造可能であり、明快な磁場状態を発生する。
【００２４】
更に、少なくとも幾つかの磁場成分コイルは平らな矩形コイルまたは円形コイルとして形成されているとよい。特に、端面にあるコイルがｚ方向における動作空間への良好なアクセスを可能にする。
【００２５】
磁場増強および／または磁場遮蔽のために磁石コイルシステムの外側に軟磁性材料からなる部材を付設すると好ましい。
【００２６】
磁石コイルシステムの１４個の個別コイルを駆動するためにコンピュータを使用すると好ましい。コンピュータは、移動させられるべき磁石体のその都度の位置に依存してそれぞれに付設された電源を駆動する。
【００２７】
本発明による装置の他の有利な構成は上述していない従属請求項により明らかにされている。
【発明を実施するための最良の形態】
【００２８】
次に、本発明による磁石コイルシステムの好ましい実施形態が具体的に示されている図面を参照しながら本発明を更に詳細に説明する。
図１は磁性体の非接触移動および固定／保持装置、
図２はこの装置磁石コイルシステムの第１の実施形態、
図３ａ〜３ｈはかかる磁石コイルシステムの個別コイルを予め定められた磁場成分もしくは磁場勾配を発生させるための通電方向と共に示し、
図４は図２による個別コイルの制御システム、
図５は本発明による装置のための磁石コイルシステムの他の実施形態、
図６ａ〜６ｉは図５の磁石コイルシステムの個別コイルにおける通電方向を示す。
これらの図において対応する部分は同一の参照符号を付されている。
【００２９】
本発明による装置により、磁性プローブ体が非接触にて動作ボリューム内を移動させられ且つ安定に保持される。磁性プローブ体の方向調整と、この磁性プローブ体への力の大きさおよび方向とを、機械結合なしに磁気的に外側から設定することができる。特に医療応用において、このような磁性プローブ体を装備したプローブは、磁石を備えたカテーテルもしくは内視鏡、あるいは、例えば消化管または肺の如き体内からビデオ画像を送る照明具および送信器を備えた小型テレビカメラであってよい。更に、例えば針または機能モジュールの如き強磁性の異物を外側から近づけない対象物または空間内で磁気力によって移動させるかまたは摘出することができる。医療への応用のほかに、例えば汚染された空間におけるような他の分野にも本発明による装置を使用することができる。付設された磁石プローブにより、とりわけ外側から近づけない他の対象物も内部検査することができ、しかもプローブにはもちろんその他のまたは付加的な機能を持たせることもできる。
【００３０】
使用される磁石コイルシステムにより、プローブ体を、３つの全ての横方向の自由度および注視方向において２つの回転自由度にて磁気力によって外側から制御することができる。さらに、装置の磁石コイルシステムは、例えば被治療者を動作空間内部内に位置決めするために、外側からｚ方向へのアクセスが可能であると好ましい。
【００３１】
図１は、ブロック図の形で被検査者すなわち被検体２３、例えば人体内の強磁性体１０の非接触ナビゲーションおよび固定装置２２の実施例を示す。被検査者は、図には詳しく示されていない磁石コイルシステム２の１４個の個別コイルによって包囲されている動作空間Ａ内にいる。例えば強磁性材料または永久磁石材料からなる磁性体１０は、例えば前記特許文献５によるビデオカプセルの如きプローブの部分であってよい。
【００３２】
図には詳しく示されていない磁石コイルシステム２は、例えば立方体状の外部輪郭を有する。該当する６つの立方体面はＦ３ａ，Ｆ３ｂ，Ｆ４ａ，Ｆ４ｂ，Ｆ５ａ，Ｆ５ｂで示されている。立方体にはｘ，ｙ，ｚ直交座標系が割り当てられている。ｚ方向に対して直角方向にある面Ｆ４ａ，Ｆ４ｂを端面とみなす。これに対してｘ軸およびｙ軸に対して直角方向にある面対Ｆ３ａ，Ｆ３ｂもしくはＦ５ａ，Ｆ５ｂを側面対とみなすことができる。これらの面対は３次元のはっきりした内部空間すなわち動作空間Ａを包囲する。
【００３３】
磁性体１０の能動的な位置調節のために、装置２２は動作空間Ａ内での磁性体１０の実際位置の検出手段を有する。この検出手段は例えばそれぞれの座標方向における磁性体１０の位置を求める３つの位置測定器２４x，２４y，２４zである。相応の測定値は、磁性体の目標位置の設定手段の部分である調節装置２５に導かれる。このために、調節装置２５はｘ位置、ｙ位置およびｚ位置のための３つの調節回路を含み、これらの調節回路は実際位置と目標位置との調節偏差から磁性体１０に対するｘ方向、ｙ方向およびｚ方向における反力を指令する。調節装置２５の後に変換装置２６が接続されている。この変換装置２６は１４個の電源ＰＡ１〜ＰＡ１４を制御する。これらの電源ＰＡ１〜ＰＡ１４により磁石コイルシステム２の１４個の個別コイルに電流Ｉ1〜Ｉ14が生じさせられる。磁石コイルシステム２においては、磁性体１０に対して定められた磁場方向および磁気力Ｆ＝ｇｒａｄ（ｍ・Ｂ）が生じさせられる（ｍ＝磁性体の磁気モーメントのベクトル）。ここで、３つの座標方向において位置調節から導き出された調整力が、この力を磁性体に作用させる磁場および磁場勾配並びに他のコイル電流に変換される。目標位置における偏差を減らす動作が行なわれ、磁性体の位置が安定化される。その結果として、自由浮上時には重力が機械的抵抗に打ち勝つための起こり得る他の力としても生じる。制御棒２７ａを有するジョイスティックまたは６Ｄマウスの形の、磁性体１０の方位、目標位置および移動方向の設定装置２７により、３つの空間座標における方位の極角／極座標θ，φおよび／または目標位置および／または移動方向が設定される。このために、設定装置２７は、目標位置ｘ，ｙ，ｚを与え、これらの目標位置をそれぞれに付設されたコンパレータ３０x，３０y，３０zにおいて位置測定器２４x，２４y，２４zの測定信号から得られた実際位置と比較する。差値は制御偏差として調節装置２５に導かれる。そこで、制御偏差は増幅されて調節技術上の処理をされて変換装置２６に導かれる。そこでは、このように導かれた値から、数学的処理により、１４個のコイル電源ＰＡ１〜ＰＡ１４のための電流値が算出され、これらの電流値により、変化させられた磁場勾配およびそれによる磁気力Ｆx，Ｆy，Ｆzが磁性体１０に対して生じさせられる。これらの力は磁性体の位置ｘ，ｙ，ｚにおける制御偏差に反作用する。更に、設定装置２７は変換装置２６に空間における極角θ，φにより目標方向を伝達する。極角θ，φは３つの磁場成分Ｂx，Ｂy，Ｂzのための電流に変換され、電源ＰＡ１〜ＰＡ１４を介して磁石コイルシステム２に伝達される。
【００３４】
図１には更に磁性体１０を装備しているビデオカプセルのビデオ信号を受信する受信装置が示されている。このために、この受信装置はビデオ受信器２８およびモニタ２９を有する。
【００３５】
装置２２は、変換装置２６において計算された磁性体１０への力が、設定装置２７における操作要素を介して装置のジョイスティック２７ａに比例の力作用を及ぼすように構成することもできる。それにより、例えば磁性体１０における願わしくない機械的抵抗を設定装置の操作者、例えば検査医師が感じ取ることができる。
【００３６】
装置の他の好ましい構成において、位置測定値から微分によって磁性体１０の速度を検出し、速度制限の目的で調節回路に供給することができる。それにより、例えば被検査者２３の体内の壁に磁性体が衝突することによる損傷を回避することができる。
【００３７】
本発明による装置２２のための磁石コイルシステム２の典型的な実施例の詳細が図２および図３に概略的に示されている。
【００３８】
磁石コイルシステム２は、本発明によれば、１４個の常伝導または超伝導の個別コイルを含み、これらの個別コイルは矩形コイルもしくは鞍形コイルとして形成されている。図には巻形が概略的にのみ示されている。丸く角を取られた個別コイル、円形コイルまたはその他のコイル形状を選択することもできる。選択された実施例のコイルシステムは、６個の磁場成分コイル３ａ，３ｂ，４ａ，４ｂ，５ａ，５ｂと、８個の磁場勾配コイル６ａ〜６ｄおよび７ａ〜７ｄから構成されている。対をなす対向位置する立方体面Ｆ３ａ，Ｆ３ｂ；Ｆ４ａ，Ｆ４ｂ；Ｆ５ａ，Ｆ５ｂにある磁場成分コイル３ａ，３ｂもしくは４ａ，４ｂもしくは５ａ，５ｂにより、磁場成分Ｂx，Ｂy，Ｂz並びに次に示された勾配マトリックスの３つの対角磁場勾配ｄＢx／ｄｘ，ｄＢy／ｄｙ，ｄＢz／ｄｚのうちの少なくとも２つを発生させることができる。この勾配マトリックスは次のように表わされる。
【数３】
2005081147.tif 000004
【００３９】
この勾配マトリックスにおいて、要素ｄＢx／ｄｘ，Ｂy／ｄｙ，Ｂz／ｄｚを結ぶ線を勾配マトリックスの対角線Ｄと称するものとする。勾配マトリックスは、この対角線Ｄに対してすなわちこの対角線上にある先に挙げた磁場勾配ｄＢx／ｄｘ，ｄＢy／ｄｙ，ｄＢz／ｄｚに対して対称的に構成されている。対角要素の合計は零に等しい。個々の磁場成分を発生するコイル対が、それらにおいて選択されるべき通電方向とともに、図３ａ〜３ｈによれば、３もしくは４もしくは５の番号で示されている。磁場成分コイル対は互いに直交配置されている。一般に磁場成分コイル対は少なくとも対をなして等しい形を有する。
【００４０】
鞍形に形成された磁場勾配コイル６ａ〜６ｄ，７ａ〜７ｄにより、ｚ方向に見て相前後して配置されたそれぞれ２つのコイル装置６，７が構成されている。鞍形の磁場勾配コイルは磁場的に動作空間Ａを包囲し、その場合これらの磁場勾配コイルは、ｚ方向に対して平行に延びる軸を有する少なくとも１つの仮想管状外殻面Ｆ６上に共通に配置されている。周方向に見て、１つのコイル装置に属する勾配コイルは互いに隔てられている、すなわち、勾配コイルの端面側における湾曲部分の間およびそれにともないｚ方向に延びる勾配コイル長辺の間にそれぞれ間隙がある。しかしながら、それらの長辺における隣接勾配コイルの部分的重なり合いも可能である。仮想外殻面Ｆ６は例えば円形横断面を有する。しかしながら、仮想外殻面Ｆ６は他のの横断面形状、例えば正方形の横断面形状を持っていてもよい。１つまたは２つのコイル装置からなる個別コイルが存在する同心の外殻面も可能である。少なくとも１つの外殻面Ｆ６は、必ずしも磁場成分コイル３ａ，３ｂ，４ａ，４ｂ，５ａ，５ｂによって包囲された空間の内部にあることが必要ではなく、むしろ場合によってはこれらのコイルからなる構造を包囲することもできる。一般に、少なくともコイル装置６および／または７に属する磁場勾配コイルは同じ形状を有する。一般に、前述の面は仮想面である。しかしながら、もちろんそれらの面に広がる磁石コイルシステム２の個別コイルは図示されていない具体的な固定手段によって保持されている。
【００４１】
磁場勾配コイル６ａ〜６ｄ，７ａ〜７ｄにより、例えば図３ｆ〜３ｈに従って、図示の通電方向を選択した場合における磁場勾配ｄＢx／ｄｙ，ｄＢz／ｄｘ，ｄＢz／ｄｙを形成することができる。これらの３つの磁場勾配はそれぞれ前述の勾配マトリックスにおける非対角要素である。これらの非対角要素はそれぞれ対角線Ｄに関して対称な他の要素対に由来する。つまり、相応の磁場勾配の形成時に必然的に、対角線Ｄに関して対称な磁場勾配が対をなして発生させられる。それは、この場合、勾配ｄＢy／ｄｘもしくはｄＢx／ｄｚもしくはｄＢy／ｄｚである。さらに、５つの勾配自由度のみが考慮されることから、ｄＢz／ｄｚの磁場勾配のための特別な電流パターンを必要としない。しかしながら、代替としてｄＢz／ｄｚの磁場勾配を発生させ、勾配の１つｄＢx／ｄｘもしくはｄＢy／ｄｙを省略してもよい。すなわち、勾配マトリックスの対角線Ｄ上にある３つの勾配のうち２つを発生させればよい。
【００４２】
ここで、例えばプローブに接続されている長く延びた磁石体（例えば強磁性磁石または永久磁石）が磁石コイルシステム２の動作空間Ａ内に持ち込まれると、磁石体は磁場方向に平行に向けることを試みられ、それによりプローブの方位も定める。磁場勾配は磁石体に力Ｆ＝ｇｒａｄ（ｍ・Ｂ）を与える。ただし、ｍは磁石体の磁気モーメントのベクトルである。１４個の各個別コイルを適切に駆動することよって、動作空間Ａ内で磁石体に任意の方位を与えることができ、全ての方向において設定された力Ｆを磁石体に作用させることができ、従って磁石体を回転させるだけでなく、直線運動させることもできる。
【００４３】
図３ａ〜３ｈは、例えば図２によるシステム２の如き磁石コイルシステムの１４個の個別コイルを、対にして、非接触の移動および／または回転に必要な磁場成分および磁場勾配を発生させるための各電流Ｉの流れ方向と共に示している。図３ａ，３ｂによれば、個別コイル３ａ，３ｂのコイル対３により、電流方向に応じて磁場成分Ｂxもしくは磁場勾配ｄＢx／ｄｘを発生させることができる。同様に、図３ｃ，３ｄによれば、コイル対５の個別コイル５ａ，５ｂにより、磁場成分Ｂyもしくは磁場勾配ｄＢy／ｄｙを形成することができる。個別コイル４ａ，４ｂからなるコイル対４は図３ｅに従って磁場成分Ｂzを発生する。図３ｆ〜３ｈに従って、それぞれ４つの勾配コイル６ａ〜６ｄもしくは７ａ〜７ｄからなる両コイル装置６，７により、個別コイルにおける通電方向に応じて、磁場勾配ｄＢz／ｄｘもしくはｄＢz／ｄｙもしくはｄＢx／ｄｙを発生させることができる。
【００４４】
各電流パターンは磁石コイルシステムにおいてそれぞれの所望の磁場成分のほかに他の磁場成分も発生する。これらの磁場成分はそれぞれのコイル寸法および磁石体の位置に依存する。これらの磁場成分の振幅は中心からコイルの巻線方向に増大する。すなわち、磁場方向を有する電流パターンの電流強度と磁石体の位置における力方向Ｆ＝ｇｒａｄ（ｍ・Ｂ）との間の簡単な関係はそのように与えられていない。
【００４５】
しかしながら、１４個の個別コイルにおける８個の電流パターンの適切な重なり合いによって、磁石体位置（プローブ位置）において磁石体に対して所望の方向調整および力作用を発生する磁場および磁場勾配を適切に設定することができる。特に好ましいことに、例えば、ちょうど重力Ｆ＝ｍ・ｇ＝ｇｒａｄ（ｍ・Ｂ）を発生させるならば（Ｍ＝質量、ｇ＝重力加速度）、空間における磁石体の自由浮上を実現することができる。これに関する計算は、次の計算ステップを実行し且つ場合によっては磁石体の移動中にも絶えず繰り返すコンピュータにて行なうことが好ましい。すなわち、
動作空間における極座標θ，φで予め与えられた磁石体方向と大きさ｜Ｂ｜とから磁石体位置における３つの磁場成分Ｂx，Ｂy，Ｂzの目標値を計算する。
磁石体への予め与えられた磁気力から５つの独立な磁場勾配ｄＢx／ｄｘ，ｄＢy／ｄｙ，ｄＢx／ｄｙ，ｄＢz／ｄｘ，ｄＢz／ｄｙの目標値を計算する。磁場勾配ｄＢz／ｄｚも予め与え、そのために勾配マトリックスの他の対角磁場勾配の１つｄＢx／ｄｘまたはｄＢy／ｄｙを零にすることもできる。磁場勾配ｄＢz／ｄｚと他の対角磁場勾配の１つｄＢx／ｄｘまたはｄＢy／ｄｙとの重畳も考え得る。
例えば１Ａのコイル電流および８×８マトリックスの形での表示のためのコイルジオメトリから８つの電流パターンのそれぞれについて磁石体位置における磁場成分および磁場勾配を計算する。
逆マトリックスを計算する。この逆マトリックスは、コイルジオメトリにのみ依存し、且つ予め与えられた動作空間におけるラスタ上の各点について予め作成可能である。装置の作動中には高速計算のためにこのラスタにおける値の間は補間される。
磁場ベクトル（Ｂx，Ｂy，Ｂz，ｄＢx／ｄｘ，ｄＢy／ｄｙ，ｄＢx／ｄｙ，ｄＢz／ｄｘ，ｄＢz／ｄｙ）を有する磁石体位置のための逆マトリックスの掛算が８つの電流パターンについての電流値を生じる。
記憶されたテーブルおよび個別コイルにおける電流の線形重畳からその都度の正または負の電流方向に基づく１４個の個別コイル電流へ電流パターンを分割する。
個別コイルのための１４個の電源を駆動する。
個別コイルにおいて損失電力限界を監視する。
【００４６】
図４に、概略表示にて磁石体位置もしくはプローブ位置を制御する画像形成装置と協働する１４個の個別コイルを駆動するための装置が示されている。この図４には、図２による磁石コイルシステム２を駆動するコンピュータは９を付されている。磁石コイルシステムの１４個の個別コイルにより、磁石体もしくは相応のプローブ１０には、自由に設定可能な磁場方向のほかに３つの全空間方向における制限のない磁気力も作用させることができる。コンピュータ９によって、１４個の個別コイルのための１４個の電源ＰＡ１〜ＰＡ１４が駆動される。更に、図４にはＸ線源のＸ線管１１が示されている。このＸ線管のＸ線は個別コイルの巻線間の自由空間に向けて投射される。磁石コイルシステムの外部における画面１２において磁石体１０の姿勢もしくは運動を観察することができる。
【００４７】
図示による磁石コイルシステムを具体的に構成するために、次の措置が用いられる。
個別コイルはアルミニウム帯または銅帯から巻回形成することができ、必要ならば液体冷却するとよい。
個別コイルは金属製中空体から作ることができ、必要に応じてそれらの内部空間を通して冷却媒体が案内される。
特に、個別コイルはとりわけ高Ｔｃ超伝導材料を有する超伝導体からなるとよい。
もちろん、例えば磁場の均一化のために他の個別コイルを使用することもできる。相応の個別コイルは図３ｅに破線で示され、符号４ｃを付されている。この個別コイルは磁界成分Ｂzを空間的に均一化する。
更に、磁石コイルシステムには磁気材料を付設することができる。例えば、磁石コイルシステムは、このような材料からなる部材によって少なくとも部分的に包囲されていてよい。図２による磁石コイルシステム２の相応の構成は、磁石コイルシステム２の勾配コイルを外側から包囲する鉄の如き軟磁性材料からなる磁気帰路体を備えている。このような軟磁性部材により、特に動作空間Ａにおける磁場増強および／または外側への漏洩磁場の遮蔽を達成することができる。
場合によっては、磁場成分発生のためのコイル対または磁場勾配発生のためのコイル装置の個別コイルについては、種々の導体横断面を選択することができる。例えば、上側のｙ個別コイル、例えば図３ｃによる個別コイル５ｂは、これに付設された下側のｙ個別コイルに比べて大きい導体横断面もしくは多い巻回数を有することができる。もちろん、このような種々の構成はその他のコイル対および／またはコイル装置の場合にも可能である。
【００４８】
上記の図に基づいて説明した本発明による磁石コイルシステム２の実施例では、立方体の対向面に対をなして直交配置された磁場成分コイルにより、磁場成分Ｂx，Ｂy，Ｂzのほかに前記勾配マトリックスによる３つの対角磁場勾配のうち２つの対角磁場勾配を発生することもできる。しかしながら、磁場成分コイルにより非対角磁場勾配を生じさせることもできる。このためには、３つの磁場成分コイルのうち少なくとも１つが、特に２つが個別コイルからなるコイル対によって形成されることが必要である。かかる実施形態は、例えば磁石コイルシステムが動作空間の周りにおいて多面体輪郭を有する場合に設けるとよい。１４個の個別コイルを有する磁石コイルシステムの相応の実施例が、図５および図６に、図２および図３に対応する表示で示され、符号２０を付されている。図６ａ〜６ｉは磁場成分および磁場勾配のために個別コイルにおいて選択すべき通電方向を示す。この実施形態では、動作空間Ａの端面Ｆ１４ａ，Ｆ１４ｂに、個別コイル１４ａ，１４ｂからなるコイル対１４がある。これらの例えば円形に形成された個別コイルにより、図６ｇ，６ｈに従って、磁場成分Ｂz並びに勾配マトリックスの対角線Ｄ上の勾配要素ｄＢz／ｄｚを発生させることができる。それに対して、対になって対向位置する側面Ｆ１３ａ，Ｆ１３ｂおよびＦ１５ａ，Ｆ１５ｂ上に配置されるべき磁場成分コイルは、それぞれｚ方向に見て相前後して配置された２つの個別コイルからなるコイル装置１６もしくは１７によってそれぞれ形成されている。図６ｄによれば、コイル装置１６は個別コイル１３ａ，１３ａ’並びに１３ｂ，１３ｂ’から構成される。図６ｄ，６ｅ，６ｆによるこれらの個別コイル１３ａ，１３ａ’並びに１３ｂ，１３ｂ’における通電方向に応じて、磁場成分Ｂxもしくは対角勾配要素ｄＢx／ｄｘおよび非対角勾配要素ｄＢz／ｄｘを発生させることができる。同様に、図６ａ〜６ｃによる側面Ｆ１５ａ，Ｆ１５ｂ上のコイル装置１７の個別コイル１５ａ，１５ａ’並びに１５ｂ，１５ｂ’により、磁場成分Ｂyもしくは対角勾配要素ｄＢy／ｄｙおよび非対角勾配要素ｄＢz／ｄｙを発生させることができる。図６ｉによれば３番目の非対角勾配要素ｄＢx／ｄｙを発生させることができるようにするために、なおも、４つの個別コイル１８ａ〜１８ｄからなる他のコイル装置１８が必要である。これらの個別コイルは、磁場成分コイルによって形成された輪郭の内部において、ｚ軸に対して平行に延び且つ動作空間Ａを包囲する（仮想）管状外殻面Ｆ１８上にある。これらの４つの個別コイル１８ａ〜１８ｄは外殻面Ｆ１８の周方向に見て規則的に分割配置され、しかも場合によってはｚ方向に延びる長辺が部分的に重なり合うとよい。図６ｉによる表示について、仮想外殻面のために正方形の横断面形状が仮定された。図５から明らかのように、このために他の形状も用いることができる。更に、図６ｇにおいて、図３ｅに対して言及した次の可能性、すなわち磁場の均一化のために他の個別コイルを設けることもできるという可能性が示されている。図６ｇに破線で説明された符号１４ｃを付された個別コイルにより、磁場成分Ｂzの相応の均一化が達成される。
【図面の簡単な説明】
【００４９】
【図１】磁性体の非接触移動および固定／保持装置を示すブロック図
【図２】本発明による装置における磁石コイルシステムの第１実施形態を示す概略図
【図３ａ】予め定められた磁場成分もしくは磁場勾配を発生させるための通電方向を有する磁石コイルシステムの個別コイルを示す図
【図３ｂ】予め定められた磁場成分もしくは磁場勾配を発生させるための通電方向を有する磁石コイルシステムの個別コイルを示す図
【図３ｃ】予め定められた磁場成分もしくは磁場勾配を発生させるための通電方向を有する磁石コイルシステムの個別コイルを示す図
【図３ｄ】予め定められた磁場成分もしくは磁場勾配を発生させるための通電方向を有する磁石コイルシステムの個別コイルを示す図
【図３ｅ】予め定められた磁場成分もしくは磁場勾配を発生させるための通電方向を有する磁石コイルシステムの個別コイルを示す図
【図３ｆ】予め定められた磁場成分もしくは磁場勾配を発生させるための通電方向を有する磁石コイルシステムの個別コイルを示す図
【図３ｇ】予め定められた磁場成分もしくは磁場勾配を発生させるための通電方向を有する磁石コイルシステムの個別コイルを示す図
【図３ｈ】予め定められた磁場成分もしくは磁場勾配を発生させるための通電方向を有する磁石コイルシステムの個別コイルを示す図
【図４】図２による個別コイルの制御システムを示すブロック図
【図５】本発明による装置のための磁石コイルシステムの他の実施形態を示す概略図
【図６ａ】図５の磁石コイルシステムの個別コイルにおける通電方向を示す図
【図６ｂ】図５の磁石コイルシステムの個別コイルにおける通電方向を示す図
【図６ｃ】図５の磁石コイルシステムの個別コイルにおける通電方向を示す図
【図６ｄ】図５の磁石コイルシステムの個別コイルにおける通電方向を示す図
【図６ｅ】図５の磁石コイルシステムの個別コイルにおける通電方向を示す図
【図６ｆ】図５の磁石コイルシステムの個別コイルにおける通電方向を示す図
【図６ｇ】図５の磁石コイルシステムの個別コイルにおける通電方向を示す図
【図６ｈ】図５の磁石コイルシステムの個別コイルにおける通電方向を示す図
【図６ｉ】図５の磁石コイルシステムの個別コイルにおける通電方向を示す図
【符号の説明】
【００５０】
２                                                          磁石コイルシステム
３，４，５                                                  コイル対
３ａ，３ｂ，４ａ，４ｂ，５ａ，５ｂ                          磁場成分コイル
６，７コイル装置
６ａ〜６ｄ                                                  磁場勾配コイル
７ａ〜７ｄ                                                  磁場勾配コイル
９                                                          コンピュータ
１０                                                        磁性体、磁石体
１１                                                        Ｘ線管
１２                                                        画面
１３ａ，１３ａ’，１３ｂ，１３ｂ’                          個別コイル
１５ａ，１５ａ’，１５ｂ，１５ｂ’                          個別コイル
１３，１４                                                  コイル対
１４ａ，１４ｂ，１４ｃ                                      個別コイル
１６，１７                                                  コイル装置
２０                                                        磁石コイルシステム
Ａ                                                          動作ボリューム
ｘ，ｙ，ｚ                                                  座標
Ｉ；Ｉ1〜Ｉ14                                              電流
ＰＡ１〜ＰＡ１４                                            電源
Ｆ３ａ，Ｆ３ｂ，Ｆ４ａ，Ｆ４ｂ，Ｆ５ａ，ｆ５ｂ              外面
Ｆ６                                                        外殻面
Ｆ１３ａ，Ｆ１３ｂ，Ｆ１４ａ，Ｆ１４ｂ，Ｆ１５ａ，Ｆ１３ｂ  外面
Ｆ１８                                                      外殻面
２２                                                        装置
２３                                                        被検査者
２４x，２４y，２４z                                        位置測定器
２５                                                        調節装置
２６                                                        変換装置
２７                                                        設定装置
２８                                                        ビデオ受信器
２９                                                        モニタ
３０x，３０y，３０z                                        コンパレータ
【図１】
2005081147.tif 000006
【図２】
2005081147.tif 000007
【図３ａ】
2005081147.tif 000008
【図３ｂ】
2005081147.tif 000009
【図３ｃ】
2005081147.tif 000010
【図３ｄ】
2005081147.tif 000011
【図３ｅ】
2005081147.tif 000012
【図３ｆ】
2005081147.tif 000013
【図３ｇ】
2005081147.tif 000014
【図３ｈ】
2005081147.tif 000015
【図４】
2005081147.tif 000016
【図５】
2005081147.tif 000017
【図６ａ】
2005081147.tif 000018
【図６ｂ】
2005081147.tif 000019
【図６ｃ】
2005081147.tif 000020
【図６ｄ】
2005081147.tif 000021
【図６ｅ】
2005081147.tif 000022
【図６ｆ】
2005081147.tif 000023
【図６ｇ】
2005081147.tif 000024
【図６ｈ】
2005081147.tif 000025
【図６ｉ】
2005081147.tif 000026